(57)【要約】【課題】組立て容易性及び解体容易性を犠牲にすることなく、塗装面同士の押し合いや擦れによる軋み音の発生を防止する。【解決手段】開示される筐体嵌合構造は、フロントケース９ａの周縁部を構成するフロントケース側壁１０の内周側部位に突設されたフロントケースリブ１０ａと、リアカバー９ｂの周縁部を構成するリアカバー側壁１１の内周側部位に凹設されたフロントケースリブ受け１１ａの天面から僅かに突出するリアカバーリブ１１ｃとが互いに突き当てられた状態で、フロントケース９ａとリアカバー９ｂとが、互いに嵌合されて携帯電話機の筐体が形成されてなると共に、リアカバーリブ１１ｃの天面が、フロントケースリブ１０ａを横滑りに対して係止する方向に傾斜している。【選択図】      図４
2005012738.tif 000002
【特許請求の範囲】
【請求項１】
フロントケースの周縁部を構成する側壁の内周側部位に突設されたフロントケースリブと、リアカバーの周縁部を構成する側壁の内周側部位に凹設されたフロントケースリブ受けとが互いに突き当てられた状態で、前記フロントケースと前記リアカバーとが、互いに嵌合されて携帯電話機の筐体が形成されてなると共に、
前記フロントケースリブ受けの天面が、前記フロントケースリブを横滑りに対して係止する方向に傾斜していることを特徴とする携帯電話機における筐体嵌合構造。
【請求項２】
前記フロントケースリブ受けの前記天面は、前記フロントケースの嵌合爪（又は嵌合孔）と前記リアカバーの嵌合孔（又は嵌合爪）とを互いに嵌合させ又は離脱させる作業の妨げとならない程度に、緩やかに傾斜していることを特徴とする請求項１記載の携帯電話機における筐体嵌合構造。
【請求項３】
前記フロントケースの周縁部を構成する前記側壁の外周側天面と、前記リアカバーの周縁部を構成する前記側壁の外周側天面とには塗装が施されて、互いに向き合う塗装面とされ、これら塗装面と塗装面との間には隙間が設けられていることを特徴とする請求項１又は２記載の携帯電話機における筐体嵌合構造。
【請求項４】
前記フロントケースリブ受けの横幅が、前記フロントケースリブのそれよりも、広く設定されていることを特徴とする請求項１、２又は３記載の携帯電話機における筐体嵌合構造。
【請求項５】
フロントケースの周縁部を構成する側壁の内周側部位に突設されたフロントケースリブと、リアカバーの周縁部を構成する側壁の内周側部位に凹設されたフロントケースリブ受けの天面から僅かに突出するリアカバーリブとが互いに突き当てられた状態で、前記フロントケースと前記リアカバーとが、互いに嵌合されて携帯電話機の筐体が形成されてなると共に、
前記リアカバーリブの天面が、前記フロントケースリブを横滑りに対して係止する方向に傾斜していることを特徴とする携帯電話機における筐体嵌合構造。
【請求項６】
前記リアカバーリブの前記天面は、前記フロントケースの嵌合爪（又は嵌合孔）と前記リアカバーの嵌合孔（又は嵌合爪）とを互いに嵌合させ又は離脱させる作業の妨げとならない程度に、緩やかに傾斜していることを特徴とする請求項５記載の携帯電話機における筐体嵌合構造。
【請求項７】
前記フロントケースの周縁部を構成する前記側壁の外周側天面と、前記リアカバーの周縁部を構成する前記側壁の外周側天面とには塗装が施されて、互いに向き合う塗装面とされ、これら塗装面と塗装面との間には隙間が設けられていることを特徴とする請求項５又は６記載の携帯電話機における筐体嵌合構造。
【請求項８】
前記リアカバーリブの横幅が、前記フロントケースリブのそれよりも、広く設定されていることを特徴とする請求項５、６又は７記載の携帯電話機における筐体嵌合構造。
【請求項９】
フロントケースの周縁部を構成する側壁の内周側部位に突設されたフロントケースリブと、リアカバーの周縁部を構成する側壁の内周側部位に凹設されたフロントケースリブ受けとが互いに突き当てられた状態で、前記フロントケースと前記リアカバーとが、互いに嵌合されて携帯電話機の筐体が形成されてなると共に、
前記フロントケースリブの天面が、線状突起形状に形成されていることで、前記フロントケースリブ受けの天面に対して、線接触していることを特徴とする携帯電話機における筐体嵌合構造。
【請求項１０】
前記フロントケースの周縁部を構成する前記側壁の外周側天面と、前記リアカバーの周縁部を構成する前記側壁の外周側天面とには塗装が施されて、互いに向き合う塗装面とされ、これら塗装面と塗装面との間には隙間が設けられていることを特徴とする請求項９記載の携帯電話機における筐体嵌合構造。
【請求項１１】
前記フロントケースリブ受けの横幅が、前記フロントケースリブのそれよりも、広く設定されていることを特徴とする請求項９又は１０記載の携帯電話機における筐体嵌合構造。
【請求項１２】
前記フロントケースリブの天面の前記線状突起は、当該線状突起が所在する前記側壁の長手方向に沿って形成されていることを特徴とする請求項９、１０又は１１記載の携帯電話機における筐体嵌合構造。
【請求項１３】
前記フロントケースリブの天面の外周側エッジが、線状突起に形成されていることを特徴とする請求項１２記載の携帯電話機における筐体嵌合構造。
【請求項１４】
フロントケースの周縁部を構成する側壁の内周側部位に突設されたフロントケースリブと、リアカバーの周縁部を構成する側壁の内周側部位に凹設されたフロントケースリブ受けの天面から僅かに突出するリアカバーリブとが互いに突き当てられた状態で、前記フロントケースと前記リアカバーとが、互いに嵌合されて携帯電話機の筐体が形成されてなると共に、
前記フロントケースリブの天面が、線状突起形状に形成されることで、前記リアカバーリブの天面に対して、線接触していることを特徴とする携帯電話機における筐体嵌合構造。
【請求項１５】
前記フロントケースの周縁部を構成する前記側壁の外周側天面と、前記リアカバーの周縁部を構成する前記側壁の外周側天面とには塗装が施されて、互いに向き合う塗装面とされ、これら塗装面と塗装面との間には隙間が設けられていることを特徴とする請求項１４記載の携帯電話機における筐体嵌合構造。
【請求項１６】
前記リアカバーリブの横幅が、前記フロントケースリブのそれよりも、広く設定されていることを特徴とする請求項１４又は１５記載の携帯電話機における筐体嵌合構造。
【請求項１７】
前記フロントケースリブの天面の前記線状突起は、当該線状突起が所在する前記側壁の長手方向に沿って形成されていることを特徴とする請求項１４、１５又は１６記載の携帯電話機における筐体嵌合構造。
【請求項１８】
前記フロントケースリブの天面の外周側エッジが、線状突起に形成されていることを特徴とする請求項１７記載の携帯電話機における筐体嵌合構造。
【請求項１９】
前記携帯電話機が、受話部及び表示部を備える第１の筐体と、送話部及びキー操作部を備える第２の筐体とが、ヒンジを介して、折り畳み可能に結合された折り畳み式携帯電話機であり、かつ、
前記携帯電話機の前記筐体が、前記折り畳み式携帯電話機の前記第１の筐体又は及び前記第２の筐体であることを特徴とする請求項１、５、９又は１４記載の携帯電話機における筐体嵌合構造。
【発明の詳細な説明】
【０００１】
【発明の属する技術分野】
この発明は、携帯電話機における筐体嵌合構造に係り、詳しくは、フロントケースとリアカバーとが互いに嵌合されて携帯電話機の筐体ができあがる携帯電話機における筐体嵌合構造に関する。
【０００２】
【従来の技術】
この種の携帯電話機としては、図９に示すように、受話部及び表示部を備える上側筐体（第１の筐体）１と、送話部及びキー操作部を備える下側筐体（第２の筐体）２とが、ヒンジ３を介して、折り畳み可能に結合された折り畳み式携帯電話機が広く出回っている。上記構成において、上側筐体１は、同図に示すように、メイン表示部用窓を備えるフロントケース１ａと、サブ表示部用窓を備えるリアカバー１ｂとが互いに嵌合された状態で構成され、このように形成された上側筐体１には、液晶表示パネル１００、カメラ１０１、アンテナ１０２、スピーカ、電気部品が実装されたプリント回路基板等が収納される構成となっている。また、下側筐体２は、各種のキー孔が穿設されたフロントカバー２ａと、各種のキーや電気部品が実装されたプリント回路基板、電池、及びマイクロホン等を搭載するためのリアケース２ｂとからなっている。ここで、上側筐体１を構成するフロントケース１ａ、リアカバー１ｂ、及び下側筐体２を構成するフロントカバー２ａ、リアケース２ｂを製造する際には、まず、これらの基体を、ポリカーボネート樹脂、ＡＢＳ（アクリロ二トリルブタジエンスチレン）樹脂等の合成樹脂又は金属を素材として一体成形法により形成した後、美観を高め物品の表面を保護するために、これらの外表面、及び、それぞれの周縁部を構成する側壁の外周側天面とに塗装を施すことが行われる。
【０００３】
かくして、図１０に示すように、上側筐体１を構成するフロントケース１ａにあっては、周縁部に、フロントケース側壁４が形成され、このフロントケース側壁４の天面の内周側部位にはフロントケースリブ４ａが突設され、外周側部位にはフロントケース塗装面４ｂが形成される構成となっている。一方、リアカバー１ｂにあっては、同図に示すように、リアカバー側壁５が形成され、このリアカバー側壁５の天面の内周側部位にはフロントケースリブ受け５ａが凹設され、外周側部位にはリアカバー塗装面５ｂが形成される構成となっている。
【０００４】
ところで、携帯電話機を数年使用すると、フロントケース１ａと、リアカバー１ｂとのそれぞれの周縁部側壁の外周側天面に施されたフロントケース塗装面（塗膜）４ｂ、リアカバー塗装面（塗膜）５ｂの経年劣化により、フロントケース塗装面４ｂ、リアカバー塗装面５ｂに微細なクラックが発生し、この結果、図１１に示すように、上側筐体１を強く握り緊めたりすると、あるいは、何らかの理由により、上下方向（上下斜め方向）から圧縮力ＡＡを加えると、フロントケース１ａと、リアカバー１ｂとの間で、フロントケース塗装面（塗膜の顔料粒子）４ｂ、リアカバー塗装面（塗膜の顔料粒子）５ｂ同士が押し合い、擦れ合うことによる軋み音等が発生し、ユーザに不快感を与える虞があった。
【０００５】
この不都合を解消する手段として、図１２に示すように、フロントケース側壁４とリアカバー側壁５とが当接対峙されて嵌合される状態では、フロントケースリブ４ａとフロントケースリブ受け５ａとを互いに突き当て、この部位にて、荷重を負担する役目を担わせる一方、フロントケース塗装面４ｂとリアカバー塗装面５ｂとの間に隙間Ｂを設けるようにした筐体嵌合構造（以下、第１の従来技術という）が提供されている。この構造によれば、フロントケース塗装面４ｂ、リアカバー塗装面５ｂ同士の押し合い、擦れ合いを軽減できるので、軋み音は生じない。しかしながら、図１３に示すように、上側筐体１に対して、何らかの理由により、上下斜め方向からの圧縮力ＡＡ、Ｃが加えられると、リアカバー側壁５が、横滑りして、フロントケース側壁４からずれ落ち、この結果、フロントケース塗装面４ｂ、リアカバー塗装面５ｂ同士の押し合い、擦れ合いが起こり、軋み音が発生する。それゆえ、上記第１の従来技術は、軋み音を防止する手段としては、完全ではない。
【０００６】
そこで、上記第１の従来技術の不都合を解消する手段として、図１４及び図１５に示すように、フロントケース６ａとリアカバー６ｂとからなる上側筐体６が提供されている（以下、第２の従来技術という）。第２の従来技術の構成では、リアカバー側壁７の天面に溝型のフロントケースリブ受け７ａを設け、このフロントケースリブ受け７ａに、フロントケース側壁８に突設されたフロントケースリブ８ａを挿入して突き当て、この部位にて、荷重を負担する役目を担わせる一方、フロントケース塗装面８ｂとリアカバー塗装面７ｂとの間に隙間Ｂを設けるようにしている。この第２の従来技術によれば、上側筐体６に対して、何らかの理由により、上下斜め方向からの圧縮力ＡＡ、Ｄが加えられても、リアカバー側壁７が、横滑りして、フロントケース側壁８からずれ落ちる虞はなくなる。
【０００７】
【発明が解決しようとする課題】
しかしながら、上記第３の従来技術にあっては、溝型のフロントケースリブ受け７ａを作るためには、フロントケースリブ８ａを抱き込むため、その部位にて、リアカバー側壁７に厚みが必要となり、ともすれば、実装空間が犠牲となって、他の部品と干渉する、という問題があった。加えて、上側筐体６の組立て時あるいは解体時には、横方向の力を加えて、フロントケース６ａの嵌合孔とリアカバー６ｂの嵌合爪とを互いに嵌合させ又は離脱させる作業を行わなければならないが、溝型のフロントケースリブ受け７ａによって、フロントケースリブ８ａが抱き込まれているため、組立作業も解体作業も大変困難であった。
【０００８】
この発明は、上述の事情に鑑みてなされたもので、組立て容易性及び解体容易性を犠牲にすることなく、塗装面同士の押し合いや擦れによる軋み音の発生を防止することができる携帯電話機における筐体嵌合構造を提供することを目的としている。
【０００９】
【課題を解決するための手段】
上記課題を解決するために、請求項１記載の発明は、携帯電話機における筐体嵌合構造に係り、フロントケースの周縁部を構成する側壁の内周側部位に突設されたフロントケースリブと、リアカバーの周縁部を構成する側壁の内周側部位に凹設されたフロントケースリブ受けとが互いに突き当てられた状態で、前記フロントケースと前記リアカバーとが、互いに嵌合されて携帯電話機の筐体が形成されてなると共に、前記フロントケースリブ受けの天面が、前記フロントケースリブを横滑りに対して係止する方向に傾斜していることを特徴としている。
【００１０】
また、請求項２記載の発明は、請求項１記載の携帯電話機における筐体嵌合構造に係り、前記フロントケースリブ受けの前記天面は、前記フロントケースの嵌合爪（又は嵌合孔）と前記リアカバーの嵌合孔（又は嵌合爪）とを互いに嵌合させ又は離脱させる作業の妨げとならない程度に、緩やかに傾斜していることを特徴としている。
【００１１】
また、請求項３記載の発明は、請求項１又は２記載の携帯電話機における筐体嵌合構造に係り、前記フロントケースの周縁部を構成する前記側壁の外周側天面と、前記リアカバーの周縁部を構成する前記側壁の外周側天面とには塗装が施されて、互いに向き合う塗装面とされ、これら塗装面と塗装面との間には隙間が設けられていることを特徴としている。
【００１２】
また、請求項４記載の発明は、請求項１、２又は３記載の携帯電話機における筐体嵌合構造に係り、前記フロントケースリブ受けの横幅が、前記フロントケースリブのそれよりも、広く設定されていることを特徴としている。
【００１３】
また、請求項５記載の発明は、携帯電話機における筐体嵌合構造に係り、フロントケースの周縁部を構成する側壁の内周側部位に突設されたフロントケースリブと、リアカバーの周縁部を構成する側壁の内周側部位に凹設されたフロントケースリブ受けの天面から僅かに突出するリアカバーリブとが互いに突き当てられた状態で、前記フロントケースと前記リアカバーとが、互いに嵌合されて携帯電話機の筐体が形成されてなると共に、前記リアカバーリブの天面が、前記フロントケースリブを横滑りに対して係止する方向に傾斜していることを特徴としている。
【００１４】
また、請求項６記載の発明は、請求項５記載の携帯電話機における筐体嵌合構造に係り、前記フロントケースリブ受けの前記天面は、前記フロントケースの嵌合爪（又は嵌合孔）と前記リアカバーの嵌合孔（又は嵌合爪）とを互いに嵌合させ又は離脱させる作業の妨げとならない程度に、緩やかに傾斜していることを特徴としている。
【００１５】
また、請求項７記載の発明は、請求項５又は６記載の携帯電話機における筐体嵌合構造に係り、前記フロントケースの周縁部を構成する前記側壁の外周側天面と、前記リアカバーの周縁部を構成する前記側壁の外周側天面とには塗装が施されて、互いに向き合う塗装面とされ、これら塗装面と塗装面との間には隙間が設けられていることを特徴としている。
【００１６】
請求項８記載の発明は、請求項５、６又は７記載の携帯電話機における筐体嵌合構造に係り、前記リアカバーリブの横幅が、前記フロントケースリブのそれよりも、広く設定されていることを特徴としている。
【００１７】
請求項９記載の発明は、携帯電話機における筐体嵌合構造に係り、フロントケースの周縁部を構成する側壁の内周側部位に突設されたフロントケースリブと、リアカバーの周縁部を構成する側壁の内周側部位に凹設されたフロントケースリブ受けとが互いに突き当てられた状態で、前記フロントケースと前記リアカバーとが、互いに嵌合されて携帯電話機の筐体が形成されてなると共に、前記フロントケースリブの天面が、線状突起形状に形成されることで、前記フロントケースリブ受けの天面に対して、線接触していることを特徴としている。
【００１８】
請求項１０記載の発明は、請求項９記載の携帯電話機における筐体嵌合構造に係り、前記フロントケースの周縁部を構成する前記側壁の外周側天面と、前記リアカバーの周縁部を構成する前記側壁の外周側天面とには塗装が施されて、互いに向き合う塗装面とされ、これら塗装面と塗装面との間には隙間が設けられていることを特徴としている。
【００１９】
請求項１１記載の発明は、請求項９又は１０記載の携帯電話機における筐体嵌合構造に係り、前記フロントケースリブ受けの横幅が、前記フロントケースリブのそれよりも、広く設定されていることを特徴としている。
【００２０】
また、請求項１２記載の発明は、請求項９、１０又は１１記載の携帯電話機における筐体嵌合構造に係り、前記フロントケースリブの天面の前記線状突起は、当該線状突起が所在する前記側壁の長手方向に沿って形成されていることを特徴としている。
【００２１】
また、請求項１３記載の発明は、請求項１２記載の携帯電話機における筐体嵌合構造に係り、前記フロントケースリブの天面の外周側エッジが、線状突起に形成されていることを特徴としている。
【００２２】
また、請求項１４記載の発明は、携帯電話機における筐体嵌合構造に係り、フロントケースの周縁部を構成する側壁の内周側部位に突設されたフロントケースリブと、リアカバーの周縁部を構成する側壁の内周側部位に凹設されたフロントケースリブ受けの天面から僅かに突出するリアカバーリブとが互いに突き当てられた状態で、前記フロントケースと前記リアカバーとが、互いに嵌合されて携帯電話機の筐体が形成されてなると共に、前記フロントケースリブの天面が、線状突起形状に形成されることで、前記リアカバーリブの天面に対して、線接触していることを特徴としている。
【００２３】
また、請求項１５記載の発明は、請求項１４記載の携帯電話機における筐体嵌合構造に係り、前記フロントケースの周縁部を構成する前記側壁の外周側天面と、前記リアカバーの周縁部を構成する前記側壁の外周側天面とには塗装が施されて、互いに向き合う塗装面とされ、これら塗装面と塗装面との間には隙間が設けられていることを特徴としている。
【００２４】
また、請求項１６記載の発明は、請求項１４又は１５記載の携帯電話機における筐体嵌合構造に係り、前記リアカバーリブの横幅が、前記フロントケースリブのそれよりも、広く設定されていることを特徴としている。
【００２５】
また、請求項１７記載の発明は、請求項１４、１５又は１６記載の携帯電話機における筐体嵌合構造に係り、前記フロントケースリブの天面の前記線状突起は、当該線状突起が所在する前記側壁の長手方向に沿って形成されていることを特徴としている。
【００２６】
また、請求項１８記載の発明は、請求項１７記載の携帯電話機における筐体嵌合構造に係り、前記フロントケースリブの天面の外周側エッジが、線状突起に形成されていることを特徴としている。
【００２７】
また、請求項１９記載の発明は、請求項１、５、９又は１４記載の携帯電話機における筐体嵌合構造に係り、前記携帯電話機が、受話部及び表示部を備える第１の筐体と、送話部及びキー操作部を備える第２の筐体とが、ヒンジを介して、折り畳み可能に結合された折り畳み式携帯電話機であり、かつ、前記携帯電話機の前記筐体が、前記折り畳み式携帯電話機の前記第１の筐体又は及び前記第２の筐体であることを特徴としている。
【００２８】
【発明の実施の形態】
以下、図面を参照してこの発明の実施の形態について説明する。説明は実施例を用いて具体的に説明する。
◇第１実施例
この例の筐体嵌合構造は、折り畳み式携帯電話機を構成する２つの筐体のうち、上側筐体（第１の筐体）に用いられるものでであり、図１は、この発明の第１実施例で用いられるフロントケース９ａの構成を示す斜視図、図２は、同実施例で用いられるリアカバー９ｂの構成を示す斜視図、また、図３乃至図５は、同筐体嵌合構造を詳細に説明するための部分拡大断面図である。
これらの図に示すように、上記フロントケース９ａには、周縁部を構成するフロントケース側壁１０の内周側部位に、長尺、短尺のフロントケースリブ１０ａが突設されていて、また、フロントケース側壁１０の外周側天面に、塗装が施されて、フロントケース塗装面１０ｂが形成されている。さらに、フロントケース側壁１０には、例えば左側２箇所、右側２箇所に、嵌合孔１０ｃが設けられている。
【００２９】
次に、リアカバー９ｂには、周縁部を構成するリアカバー側壁１１の内周側部位に長尺、短尺のフロントケースリブ受け１１ａが凹設されていて、フロントケースリブ受け１１ａの天面には、高さコンマ数ｍｍ程度の小さなリアカバーリブ１１ｃが複数個互いに所定の間隔をあけて、突設されている。また、リアカバー側壁１１の外周側天面に、塗装が施されて、リアカバー塗装面１１ｂが形成されている。さらに、リアカバー側壁１１には、上述したフロントケース側壁１０側の４箇所の嵌合孔１０ｃに対応する位置に、それぞれ、嵌合爪１１ｄが設けられている。
ここで、リアカバーリブ１１ｃは、フロントケース塗装面１０ｂ、リアカバー塗装面１１ｂ同士が、相対向配置される際の隙間を確保するために設けられたものであり、この結果、フロントケースリブ１０ａ（負荷）を事実上受け止めるもので、さらに、この例では、リアカバーリブ１１ｃの天面が、フロントケースリブ１０ａを横滑りに対して係止する方向に傾斜する構成になされている。この傾斜の程度は、フロントケースリブ受け１１ａの天面は、フロントケース９ａの嵌合孔１０ｃとリアカバー９ｂの嵌合爪１１ｄとを互いに嵌合させ又は離脱させる作業の妨げとならない程度に、緩やかに傾斜するように設定されている。
また、この例では、フロントケースリブ受け１１ａ又はリアカバーリブ１１ｃの横幅が、フロントケースリブ１０ａのそれよりも、広く設定されている。
【００３０】
この例の構成によれば、図４に示すように、フロントケース９ａとリアカバー９ｂとが嵌合される際、リアカバー塗装面１１ｂと接触しないように、フロントケースリブ１０ａの天面とフロントケースリブ受け１１ａとを突き当ると、フロントケースリブ受け１１ａは、リアカバーリブ１１ｃの内壁に対して鋭角をなすように傾斜して形成されているので、フロントケース塗装面１０ｂとリアカバー塗装面１１ｂとの間に隙間ができ、フロントケースリブ１０ａの天面とフロントケースリブ受け１１ａとは、平面ではなく線で接触する。このような状態で、図５に示す矢印の方向に負荷がかかると、リアカバー側壁１１には内側に倒れこむような力が働き、フロントケースリブ受け１１ａからフロントケースリブ１０ａの天面がずれ落ちることはなく、フロントケース塗装面１０ｂとリアカバー塗装面１１ｂとの間に隙間があるために、軋み音を防止することができる。また、この傾斜の程度は、フロントケースリブ受け１１ａの天面は、フロントケース９ａの嵌合孔１０ｃとリアカバー９ｂの嵌合爪１１ｄとを互いに嵌合させ又は離脱させる作業の妨げとならない程度に、緩やかに傾斜しているので、リアカバー９ｂの嵌合爪１１ｄを横方向外方に少し開いた状態で、フロントケース９ａの嵌合孔１０ｃに嵌合させる組立作業及びその逆の操作である解体作業を容易に行うことができる。
【００３１】
◇第２実施例
次に、この発明の第２実施例である携帯電話機における筐体嵌合構造について説明する。
この例の筐体嵌合構造は、折り畳み式携帯電話機を構成する２つの筐体のうち、上側筐体（第１の筐体）に用いられるものでであり、図６乃至図８は、同第２実施例で用いられるフロントケース１２ａ及びリアカバー１２ｂの一部構成を拡大して示す部分拡大断面図である。
この例の筐体嵌合構造は、図６乃至図８に示すように、フロントケース１２ａの周縁部を構成するフロントケース側壁１３の内周側部位に突設されたフロントケースリブ１３ａと、リアカバー１２ｂの周縁部を構成するリアカバー側壁１４の内周側部位に凹設されたフロントケースリブ受け１４ａの天面から僅かに突出するリアカバーリブ１４ｃとが互いに突き当てられた状態で、フロントケース１２ａとリアカバー１２ｂとが、互いに嵌合されて携帯電話機の筐体が形成されてなる点では、上記第１実施例の構成と略同様であるが、リアカバーリブ１４ｃの傾斜面が廃され、かつ、フロントケースリブ１３ａの天面が、線状突起形状に形成され、リアカバーリブ１４ｃの天面に対して、線接触している構成となっている点のみが、上述の第１実施例と相違している。
それゆえ、この例でも、リアカバーリブ１４ｃによって、フロントケース塗装面１３ｂ、リアカバー塗装面１４ｂ同士が、相対向配置される際の隙間が確保されるようになっている。
ここで、フロントケースリブ１３ａの天面では、図６乃至図８に示すように、外周側エッジが、当該エッジが位置するフロントケース側壁１３の長手方向に沿って、線状突起に形成されている。
【００３２】
この例の構成によれば、図７に示すように、フロントケース塗装面１３ｂとリアカバー塗装面１４ｂとの間に隙間ができ、フロントケースリブ１３ａ天面の外周側エッジとリアカバーリブ１４ｃとが、平面接触ではなく線接触する。それゆえ、フロントケースリブ１３ａ天面の外周側エッジが、リアカバーリブ１４ｃの点面に食い込むので、図８に示す矢印の方向に負荷がかかっても、横ずれを防止できる。加えて、リアカバー側壁１４には内側に倒れこむ力が働くので、この点からも、横ずれが防止されている。それゆえ、この第２実施例の構成によっても、第１実施例で述べたと略同様の効果を得ることができる。
【００３３】
以上、この発明を図面を参照して詳述してきたが、具体的な構成はこの実施例に限られるものではなく、この発明の要旨を逸脱しない範囲の設計の変更があってもこの発明に含まれる。
例えば、上述の実施例では、折り畳み式携帯電話機について述べたが、この発明は、この種の電話機に限定するものではない。また、上述の実施例では、折り畳み式携帯電話機のうち、上側筐体（第１の筐体）にのみ、この発明の筐体嵌合構造が適用された場合について述べたが、上側筐体に代えて下側筐体に適用しても良く、両方に適用しても良い。また、上述の第２実施例では、リアカバーリブの傾斜面を廃する一方、フロントケースリブ１３ａ天面の外周側エッジを立てるようにしたが、勿論、リアカバーリブの傾斜面を維持すると共に、フロントケースリブ１３ａ天面の外周側エッジを立てるようにしても良い。
【００３４】
なお、どちらか一方の側をフロントと決めれば、他方の側がリアであり、どのように決めるかは、任意である。同様に、どちらかをケースと決めれば、相対向する他方がカバーである。したがって、どちらをケースと呼ぼうが、カバーと呼ぼうが、これも任意である。上述の各種リブの形状は任意である。フロントケースリブ６Ａの形状に対応して種々の形状にすることができる。
【００３５】
なお、上述の実施例では、リアカバーリブを用いる場合について述べたが、リアカバーリブを廃して、直接、リアカバー側の周縁部を構成する側壁の内周側部位に凹設されたフロントケースリブ受けに、フロントケースリバーが突き当たるようにすると共に、フロントケースリブ受けの天面自体を、ロントケースリブを横滑りに対して係止する方向に傾斜する構成にしても良い。あるいは、フロントケースリブの外周側エッジが、直接フロントケースリブ受けに当たるようにしても良い。フロントケース側に嵌合爪を、リアカバー側に嵌合孔を設けるようにしても良い。フロントケースリブの天面の線状突起は、必ずしも、外周側エッジに設ける必要はない。
【００３６】
【発明の効果】
以上、説明したように、この発明の構成によれば、組立て容易性及び解体容易性を犠牲にすることなく、塗装面同士の押し合いや擦れによる軋み音の発生を防止することができる。
【図面の簡単な説明】
【図１】この発明の第１実施例で用いられるフロントケースの構成を示す斜視図である。
【図２】同実施例で用いられるリアカバーの構成を示す斜視図である。
【図３】同筐体嵌合構造を詳細に説明するための部分拡大断面図である。
【図４】同筐体嵌合構造を詳細に説明するための部分拡大断面図である。
【図５】同筐体嵌合構造を詳細に説明するための部分拡大断面図である。
【図６】この発明の第２実施例で用いられるフロントケース及びリアカバーの一部構成を拡大して示す部分拡大断面図である。
【図７】同第２実施例で用いられるフロントケース及びリアカバーの一部構成を拡大して示す部分拡大断面図である。
【図８】同第２実施例で用いられるフロントケース及びリアカバーの一部構成を拡大して示す部分拡大断面図である。
【図９】従来技術を説明するための図である。
【図１０】従来技術の問題点を説明するための図である。
【図１１】同従来技術の問題点を説明するための図である。
【図１２】改善された第１の従来技術の問題点を説明するための図である。
【図１３】改善された第１の従来技術の問題点を説明するための図である。
【図１４】さらに改善された第２の従来技術の問題点を説明するための図である。
【図１５】さらに改善された第２の従来技術の問題点を説明するための図である。
【符号の説明】
９、１２      上側筐体（第１の筐体）
９ａ、１２ａ      フロントケース
９ｂ、１２ｂ      リアカバー
１０、１３      フロントケース側壁
１０ａ、１３ａ      フロントケースリブ
１０ｂ、１３ｂ      フロントケース塗装面
１０ｃ嵌合孔
１１、１４      リアカバー側壁
１１ａ、１４ａ      フロントケースリブ受け
１１ｂ、１４ｂ      リアカバー塗装面
１１ｃ、１４ｃ      リアカバーリブ
１１ｄ      嵌合爪
【図１】
2005012738.tif 000003
【図２】
2005012738.tif 000004
【図３】
2005012738.tif 000005
【図４】
2005012738.tif 000006
【図５】
2005012738.tif 000007
【図６】
2005012738.tif 000008
【図７】
2005012738.tif 000009
【図８】
2005012738.tif 000010
【図９】
2005012738.tif 000011
【図１０】
2005012738.tif 000012
【図１１】
2005012738.tif 000013
【図１２】
2005012738.tif 000014
【図１３】
2005012738.tif 000015
【図１４】
2005012738.tif 000016
【図１５】
2005012738.tif 000017